(57)【特許請求の範囲】
【請求項１】
頂部に吸気口が形成され、底部にメイン吹出口が形成されるフェースフレームと、
前記フェースフレームの左端及び右端にそれぞれ設けられる二つのエンドカバーであって、少なくとも一つの前記エンドカバーの前記メイン吹出口に隣接する部分に補助吹出口が形成され、前記エンドカバーと前記フェースフレームとの間に前記補助吹出口に連通する補助吹出通路が画定される前記エンドカバーと、
前記補助吹出口に設けられる第１の補助吹出グリルと、
前記第１の補助吹出グリルの外側に設けられるとともに、前記エンドカバーに着脱可能に接続される第２の補助吹出グリルと、を含み、
前記第１の補助吹出グリルは、並置されて円弧状に延びる複数の第１の仕切リブを有し、隣接する二つの前記第１の仕切リブの間に第１の吹出貫通孔が画定され、前記第２の補助吹出グリルは、並置されて円弧状に延びる複数の第２の仕切リブを有し、隣接する二つの前記第２の仕切リブの間に第２の吹出貫通孔が画定され、吹出方向において前記第２の仕切リブの少なくとも一部は、前記第１の吹出貫通孔に対向し、前記第２の仕切リブの幅は、前記第１の吹出貫通孔の幅より小さい、
ことを特徴とする空気調和機の室内機のケーシングアセンブリ。
【請求項２】
前記第１の補助吹出グリルは、前記エンドカバーと一体成形される、
ことを特徴とする請求項１に記載の空気調和機の室内機のケーシングアセンブリ。
【請求項３】
前記第２の補助吹出グリル及び前記エンドカバーのうち一方に係合溝が設けられ、且つ他方に前記係合溝に結合する係合スナップが設けられる、
ことを特徴とする請求項１又は２に記載の空気調和機の室内機のケーシングアセンブリ。
【請求項４】
前記第２の補助吹出グリルに複数の係合スナップが設けられ、複数の前記係合スナップは、前記第２の補助吹出グリルの延びる方向において間隔を置いて設けられ、前記エンドカバーに前記係合スナップに結合する複数の係合溝が設けられる、
ことを特徴とする請求項３に記載の空気調和機の室内機のケーシングアセンブリ。
【請求項５】
前記エンドカバーに取り付け溝が設けられ、前記第１の補助吹出グリルは、前記取り付け溝の底壁を構成し、前記第２の補助吹出グリルは、前記取り付け溝内に設けられる、
ことを特徴とする請求項１〜４のいずれか一項に記載の空気調和機の室内機のケーシングアセンブリ。
【請求項６】
前記第１の補助吹出グリルと前記第２の補助吹出グリルとの形状が一致している、
ことを特徴とする請求項１〜５のいずれか一項に記載の空気調和機の室内機のケーシングアセンブリ。
【請求項７】
前記補助吹出口が形成されるエンドカバーは、互いに接続された本体部と延伸部とを含み、前記本体部は、前記フェースフレームの左側及び／又は右側に位置し、前記補助吹出口は、前記本体部に形成され、前記延伸部は、前記フェースフレームの前側に位置し、且つ前記補助吹出口の左側及び／又は右側に位置し、前記延伸部と前記フェースフレームとの間に前記補助吹出通路が画定されている、
ことを特徴とする請求項１〜６のいずれか一項に記載の空気調和機の室内機のケーシングアセンブリ。
【請求項８】
前記補助吹出通路に隣接する方向において、前記第１の吹出貫通孔の幅は、徐々に大きくなる、
ことを特徴とする請求項１に記載の空気調和機の室内機のケーシングアセンブリ。
【請求項９】
請求項１〜８のいずれか一項に記載のケーシングアセンブリを含む、
ことを特徴とする空気調和機の室内機。
【発明の詳細な説明】
【技術分野】
【０００１】
［関連出願の相互参照］
本出願は、出願番号が２０１８１００９８７３４.６、２０１８２０１８１６４２.Ｘで、出願日が２０１８年０１月３１日である中国特許出願に基づくものであり、これらの中国特許出願の優先権を主張し、これらの中国特許出願のすべての内容を参照として本明細書に援用する。
【０００２】
本出願は、空気調和機の技術分野に関し、特に空気調和機の室内機のケーシングアセンブリ及び空気調和機の室内機に関する。
【背景技術】
【０００３】
関連技術において、一部の空気調和機の室内機は、左右両端のエンドカバーに補助吹出口を設置して、吹出範囲を拡大する。しかしながら、補助吹出口の存在によって、機体の内部構造が見えやすくなり、全体の美しさが影響される。また、補助吹出口にもグリル構造が設けられているが、それ自体の構造の制約によって、補助吹出口のグリル清掃が不便である。したがって、改善する必要がある。
【発明の概要】
【発明が解決しようとする課題】
【０００４】
本出願は、従来技術における少なくとも一つの技術的課題を解决することを目的とする。そのため、本出願は、補助吹出口のグリルの清掃を容易にし、全体の美しさを向上させることができる空気調和機の室内機のケーシングアセンブリを提供する。
【０００５】
本出願は、上記のケーシングアセンブリを有する空気調和機の室内機をさらに提供する。
【課題を解決するための手段】
【０００６】
本出願の第１の側面の実施例に係る空気調和機の室内機のケーシングアセンブリは、頂部に吸気口が形成され、底部にメイン吹出口が形成されるフェースフレームと、前記フェースフレームの左端及び右端にそれぞれ設けられる二つのエンドカバーであって、少なくとも一つの前記エンドカバーの前記メイン吹出口に隣接する部分に補助吹出口が形成され、前記エンドカバーと前記フェースフレームとの間に前記補助吹出口に連通する補助吹出通路が画定される前記エンドカバーと、前記補助吹出口に設けられる第１の補助吹出グリルと、前記第１の補助吹出グリルの外側に設けられるとともに、前記エンドカバーに着脱可能に接続される第２の補助吹出グリルと、を含む。
【０００７】
本出願の実施例に係る空気調和機の室内機のケーシングアセンブリによれば、エンドカバーの補助吹出口に内外２層の吹出グリル、すなわち第１の補助吹出グリル及び第２の補助吹出グリルを設置することによって、機体の内部構造が見えにくくなり、全体の美しさが向上する。さらに、第２の補助吹出グリルをエンドカバーに着脱可能に設けることにより、吹出グリルの清掃が容易になる。
【０００８】
本出願のいくつかの実施例によれば、前記第１の補助吹出グリルは、前記エンドカバーと一体成形される。
【０００９】
本出願のいくつかの実施例によれば、前記第２の補助吹出グリル及び前記エンドカバーのうち一方に係合溝が設けられ、且つ他方に前記係合溝に結合する係合スナップが設けられる。
【００１０】
選択可能に、前記第２の補助吹出グリルに複数の係合スナップが設けられ、複数の前記係合スナップは、前記第２の補助吹出グリルの延びる方向において間隔を置いて設けられ、前記エンドカバーに前記係合スナップに結合する複数の係合溝が設けられる。
【００１１】
本出願のいくつかの実施例によれば、前記エンドカバーに取り付け溝が設けられ、前記第１の補助吹出グリルは、前記取り付け溝の底壁を構成し、前記第２の補助吹出グリルは、前記取り付け溝内に設けられる。
【００１２】
本出願のいくつかの実施例によれば、前記第１の補助吹出グリルと前記第２の補助吹出グリルとの形状が一致している。
【００１３】
本出願のいくつかの実施例によれば、前記補助吹出口が形成されるエンドカバーは、互いに接続された本体部と延伸部とを含み、前記本体部は、前記フェースフレームの左側及び／又は右側に位置し、前記補助吹出口は、前記本体部に形成され、前記延伸部は、前記フェースフレームの前側に位置し、且つ前記補助吹出口の左側及び／又は右側に位置し、前記延伸部と前記フェースフレームとの間に前記補助吹出通路が画定されている。
【００１４】
本出願のいくつかの実施例によれば、前記第１の補助吹出グリルは、並置されて円弧状に延びる複数の第１の仕切リブを有し、隣接する二つの前記第１の仕切リブの間に第１の吹出貫通孔が画定され、前記第２の補助吹出グリルは、並置されて円弧状に延びる複数の第２の仕切リブを有し、隣接する二つの前記第２の仕切リブの間に第２の吹出貫通孔が画定され、吹出方向において前記第２の仕切リブの少なくとも一部は、前記第１の吹出貫通孔に対向し、前記第２の仕切リブの幅は、前記第１の吹出貫通孔の幅より小さい。
【００１５】
さらに、前記補助吹出通路に隣接する方向において、前記第１の吹出貫通孔の幅は、徐々大きくなる。
【００１６】
本出願の第２の側面の実施例に係る空気調和機の室内機は、本出願の上記の第１の側面の実施例に係るケーシングアセンブリを含む。
【００１７】
本出願の実施例に係る空気調和機の室内機によれば、上記のケーシングアセンブリを設置することによって、全体の美しさを向上させることができるとともに、ケーシングアセンブリの清掃及びメンテナンスを容易にすることができる。
【００１８】
本発明の付加的な特徴及び利点は、一部が以下の説明において示され、一部が以下の説明により明らかになり、又は本発明の実践により理解される。
本発明の上記及び/又は付加的な側面及び利点は、以下、図面を参照した実施例についての説明において、明らかになり、理解しやすくなる。
【図面の簡単な説明】
【００１９】
【図１】本出願の一実施例に係る空気調和機の室内機の概略図である。
【図２】図１におけるＡの拡大図である。
【図３】本出願の一実施例の空気調和機の室内機の部分構造の概略図である。
【図４】図３におけるＢの拡大図である。
【図５】本出願の一実施例に係る空気調和機の室内機のフェースフレームとエンドカバーとの結合の概略図である。
【図６】本出願の一実施例に係る空気調和機の室内機のエンドカバーと第２の補助吹出グリル及び導風部材との組立の概略図である。
【図７】図６の他の角度の概略構造図である。
【図８】本出願の一実施例に係る空気調和機の室内機のエンドカバーの概略構造図である。
【図９】本出願の一実施例に係る空気調和機の室内機の第２の補助吹出グリルの概略構造図である。
【図１０】本出願の一実施例に係る空気調和機の室内機の導風部材の概略構造図である。
【発明を実施するための形態】
【００２０】
以下、本出願の実施例を詳細に説明する。前記実施例における例が図面に示され、同一又は類似する符号は、常に同一又は類似する要素、或いは、同一又は類似する機能を有する要素を示す。以下に、図面を参照しながら説明される実施例は例示するものであり、本出願を解釈するためだけに用いられ、本出願を限定するものと理解してはならない。
【００２１】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利にまたは簡単に説明するために使用されるものであり、指定された装置又は要素が特定の方位にあり、特定の方位において構造され操作されることを指示又は暗示するものではないので、本発明を限定するものであると理解してならない。また、「第１」、「第２」との用語は単に説明するためのものであり、相対的な重要性を指示又は暗示し、或いは指定された技術的特徴の数量を暗黙的に指定するものであると理解してならない。よって、「第１」、「第２」で限定されている特徴は、少なくとも一つの当該特徴を含んでいることを、明示又は暗黙的に指定している。本発明の説明において、他の説明がない限り、「複数」とは、少なくとも二つ以上を意味する。
【００２２】
本出願の説明において、明確な規定及び限定がない限り、「取り付け」、「互いに接続」、「接続」、「固定」との用語の意味は広く理解されるべきである。例えば、固定接続や、着脱可能な接続や、あるいは一体的な接続でも可能である。机械的な接続や、電気的な接続も可能である。直接的に接続することや、中間媒体を介して間接的に接続することや、二つの要素の内部が連通することや、あるいは二つの要素の間に相互作用関係があることも可能である。当業者であれば、具体的な状況によって上記用語の本発明においての具体的な意味を理解することができる。
【００２３】
以下、図１〜図１０を参照して本出願の実施例に係る空気調和機の室内機１００のケーシングアセンブリを説明する。
【００２４】
図１〜図１０に示すように、本出願の第１の側面の実施例に係る空気調和機の室内機１００のケーシングアセンブリは、フェースフレーム１と、エンドカバー２と、第１の補助吹出グリル３と、第２の補助吹出グリル４とを含む。
【００２５】
具体的には、フェースフレーム１の頂部に吸気口が形成され、フェースフレーム１の底部にメイン吹出口１１が形成され、吸気口に吸気グリル１３が設けられてもよい。フェースフレーム１の前側にフロントフェースプレート６が設けられ、メイン吹出口１１は、フロントフェースプレート６の下方に位置し、メイン吹出口１１に導風板１２が設けられ、導風板１２はメイン吹出口１１を開閉するために用いられる。エンドカバー２は、二つであり、フェースフレーム１の左端及び右端にそれぞれ設けられ、少なくとも一つのエンドカバー２のメイン吹出口１１に隣接する部分に補助吹出口２３が形成され、エンドカバー２とフェースフレーム１との間に出補助吹出口２３に連通する補助吹出通路２４が画定されている。
【００２６】
選択可能に、補助吹出口２３が形成されたエンドカバー２は、互いに接続された本体部２１と延伸部２２とを含み、本体部２１は、フェースフレーム１の左側及び／又は右側に位置し、補助吹出口２３は、本体部２１に形成され、延伸部２２は、前記フェースフレーム１の前側に位置し、且つ吹出口の左側及び／又は右側に位置し、延伸部２２とフェースフレーム１との間に補助吹出通路２４が画定されている。これにより、補助吹出通路２４の形成が容易になり、当該補助吹出通路２４によって風が補助吹出口２３に導かれて吹き出すことが容易になる。
【００２７】
ここで、フェースフレーム１の左端に位置するエンドカバー２にのみ補助吹出口２３が設けられてもよく、補助吹出口２３は、当該エンドカバー２の本体部２１に位置し、この場合、当該エンドカバー２の延伸部２２とフェースフレーム１との間に上記の補助吹出通路２４が画定され、当該補助吹出通路２４は、対応する補助吹出口２３に連通され、空気調和機が作動すると、風は、メイン吹出口１１及び左側に位置する補助吹出口２３から吹き出すことができる。フェースフレーム１の右端に位置するエンドカバー２にのみ補助吹出口２３が設けられてもよく、補助吹出口２３は、当該エンドカバー２の本体部２１に位置し、この場合、当該エンドカバー２の延伸部２２とフェースフレーム１との間に上記の補助吹出通路２４が画定され、当該補助吹出通路２４は、対応する補助吹出口２３に連通され、空気調和機が作動すると、風は、メイン吹出口１１及び右側に位置する補助吹出口２３から吹き出すことができる。又は、フェースフレーム１の左端に位置するエンドカバー２及びフェースフレーム１の右端に位置するエンドカバー２にそれぞれ補助吹出口２３が設けられてもよく、この場合、補助吹出口２３は、二つのエンドカバー２の本体部２１に形成され、二つのエンドカバー２の延伸部２２とフェースフレーム１との間にそれぞれ上記の補助吹出通路２４が画定され、各補助吹出通路２４は、対応する補助吹出口２３に連通され、空気調和機が作動すると、風は、メイン吹出口１１及び左右両側に位置する補助吹出口２３から吹き出すことができる。
【００２８】
第１の補助吹出グリル３は、補助吹出口２３に設けられ、第２の補助吹出グリル４は、第１の補助吹出グリル３の外側に設けられるため、エンドカバー２の補助吹出口２３に内外２層の吹出グリルを設置することによって、機体の内部構造が見えにくくなり、全体の美しさが向上する。第２の補助吹出グリル４は、エンドカバー２に着脱可能に接続され、空気調和機の室内機１００が長期的に作動する間に、補助吹出口２３の近くに大量のほこりが溜まって掃除する必要があり、この時、外側に位置する第２の補助吹出グリル４を取り外して清掃すればよく、清掃が完了した後にエンドカバー２に取り付けることによって、補助吹出口２３のグリルの清掃がさらに容易になる。選択可能に、第１の補助吹出グリル３は、エンドカバー２と一体成形されてもよい。
【００２９】
選択可能に、第１の補助吹出グリル３と第２の補助吹出グリル４との形状を一致させることによって、エンドカバー２の外観がより美しくなる。
【００３０】
例えば、図１〜図１０の例では、ケーシングアセンブリは、上記のフェースフレーム１と、フロントフェースプレート６と、二つのエンドカバー２と、導風板１２とを含み、フェースフレーム１の頂部に吸気口が形成されるとともにフェースフレーム１の前側底部にメイン吹出口１１が形成され、フェースフレーム１の前側にフロントフェースプレート６が設けられ、メイン吹出口１１は、フロントフェースプレート６の下方に位置し、メイン吹出口１１に導風板１２が設けられ、二つのエンドカバー２は、フェースフレーム１の左端及び右端にそれぞれ設けられ、エンドカバー２に係合スナップ２５が形成され、フェースフレーム１に係合溝が形成され、係合スナップ２５と係合溝との結合によってエンドカバー２をフェースフレーム１に取り付けることができる。
【００３１】
フェースフレーム１の左端に位置するエンドカバー２及びフェースフレーム１の右端に位置するエンドカバー２にそれぞれ補助吹出口２３が形成され、各補助吹出口２３の各々にいずれも上記の第１の補助吹出グリル３及び第２の補助吹出グリル４が設けられる。各エンドカバー２は、本体部２１と、延伸部２２とを含み、各エンドカバー２の本体部２１は、それぞれフェースフレーム１の左側及び右側に位置し、各本体部２１に補助吹出口２３が形成され、補助吹出口２３は、本体部２１の下部及び前部に位置し、延伸部２２の一端は、本体部２１の底部に接続され、且つ延伸部２２の他端は、前方及び上方に向けて延びており、延伸部２２は、円弧状の板状であり、且つ前方に向かって湾曲しており、各エンドカバー２の延伸部２２は、フェースフレーム１の底面からフェースフレーム１の前側に延びており、導風板１２がメイン吹出口１１を閉じる時に、導風板１２は延伸部２２の外側に覆っており、この時、延伸部２２は、導風板１２によって遮蔽されて、全体の美しさが確保される。選択可能に、図３、図４及び図７を参照すると、延伸部２２に補強構造２２１が設けられることにより、延伸部２２の強度を向上させることができ、例えば、補強構造２２１は、延伸部２２の外面に形成された複数の溝を含むことができる。
【００３２】
左端に位置するエンドカバー２の延伸部２２とフェースフレーム１との間に補助吹出通路２４が画定されており、当該補助吹出通路２４は、対応する本体部２１における補助吹出口２３と連通する。左端に位置するエンドカバー２の延伸部２２とフェースフレーム１との間に補助吹出通路２４が画定されており、当該補助吹出通路２４は、対応する本体部２１における補助吹出口２３と連通する。
【００３３】
これにより、空気調和機が作動する場合、導風板１２は、メイン吹出口１１を開き、一部分の風は、メイン吹出口１１から吹き出され、残り部分の風は、左右両側の補助吹出通路２４を通過して、それぞれエンドカバー２における補助吹出口２３を介して吹き出される。風がエンドカバー２における補助吹出口２３を介して吹き出す間に、第１の補助吹出グリル３及び第２の補助吹出グリル４を順次通過し、設置された２層の吹出グリルによって、風をガイドする機能を発揮することもできる。
【００３４】
選択可能に、図１及び図２を参照すると、導風板１２に複数の通風孔１２１が形成され、複数の通風孔１２１は、導風板１２に均一的に分布することができる。この場合、空気調和機は、通常モードと無風感モードとを有することができる。空気調和機が通常モードにある場合、導風板１２は、メイン吹出口１１を開き、一部文の風は、メイン吹出口１１から吹き出され、残り部分の風は、左右両側の補助吹出通路２４を通過して、それぞれエンドカバー２における補助吹出口２３を介して吹き出される。空気調和機が無風感モードにある場合、導風板１２は、メイン吹出口１１を閉じ、この時、一部分の風は、導風板１２における複数の通風孔１２１から吹き出されるため、空気流を分散させることができ、残り部分の風は、左右両側の補助吹出通路２４を通過して、それぞれエンドカバー２における補助吹出口２３を介して吹き出される。これにより、ユーザの異なる使用ニーズを満たすことができる。
【００３５】
本出願の実施例に係る空気調和機の室内機１００のケーシングアセンブリは、エンドカバー２の補助吹出口２３に内外２層の吹出グリル、すなわち第１の補助吹出グリル３と第２の補助吹出グリル４とを設置することによって、機体の内部構造が見えにくくなり、全体の美しさが向上する。さらに、第２の補助吹出グリル４をエンドカバー２に着脱可能に設けることによって、吹出グリルの清掃が容易になる。
【００３６】
本出願のいくつかの実施例によれば、図７〜図９を参照すると、第２の補助吹出グリル４及びエンドカバー２の一方に係合溝が設けられ、他方に係合スナップが設けられる。第２の補助吹出グリル４に係合スナップが設置される場合、エンドカバー２に係合溝が設置される。第２の補助吹出グリル４に係合溝が設置される場合、エンドカバー２に係合スナップが設置される。これにより、係合スナップと係合溝との結合によって、第２の補助吹出グリル４の着脱が容易になる。
【００３７】
例えば、図８及び図９の例では、第２の補助吹出グリル４に複数の係合スナップ４３が設けられ、複数の係合スナップ４３は、第２の補助吹出グリル４の延びる方向に間隔を置いて設けられ、エンドカバー２に複数の当該係合スナップ４３に結合する係合溝２６１が設けられる。これにより、第２の補助吹出グリル４をエンドカバー２に確実に接続固定することができる。
【００３８】
本出願のいくつかの実施例によれば、図７〜図９を参照すると、エンドカバー２に取り付け溝２６が設けられ、第１の補助吹出グリル３は、取り付け溝２６の底壁を構成し、第２の補助吹出グリル４は、取り付け溝２６内に設けられる。これにより、第２の補助吹出グリル４の取り付けが容易になり、且つエンドカバー２の外部構造がよりコンパクトになり、全体の外観がより美しくなる。
【００３９】
本出願のいくつかの実施例によれば、図７〜図９を参照すると、第１の補助吹出グリル３は、並置されて円弧状に延びる複数の第１の仕切リブ３１を有し、隣接する二つの第１の仕切リブ３１の間に第１の吹出貫通孔３２が画定され、第２の補助吹出グリル４は、並置されて円弧状に延びる複数の第２の仕切リブ４１を有し、隣接する二つ第２の仕切リブ４１の間に第２の吹出貫通孔４２が画定され、吹出方向において第２の仕切リブ４１の少なくとも一部は、第１の吹出貫通孔３２に対向し、第２の仕切リブ４１の幅は、第１の吹出貫通孔３２の幅より小さい。これにより、エンドカバー２上の補助吹出口２３によって生成された隙間を小さくすることができ、当該外観から機体の内部構造が見えることをさらに避けることができ、全体の美しさがさらに向上するとともに、吹出量が影響されない。さらに、第１の補助吹出グリル３の第１の仕切リブ３１および第２の補助吹出グリル４の第２の仕切リブ４１をいずれも円弧状に延びさせることによって、エンドカバー２の外観の美しさをさらに向上させることができる。
【００４０】
さらに、図８を参照すると、補助吹出通路２４に隣接する方向に、第１の吹出貫通孔３２の幅は、徐々に大きくなる。これにより、第１の吹出貫通孔３２の面積が大きいほうを補助吹出通路２４に隣接させて、空気が流れる経路を小さくすることができ、これによって空気が流れる抵抗を小さくし、吹出をスムーズにし、空気流のエネルギー損失を小さくすることができる。
【００４１】
選択可能に、図９を参照すると、補助吹出通路２４に隣接する方向に、第２の吹出貫通孔４２の幅は、徐々に大きくなる。これにより、第２の吹出貫通孔４２の面積が大きいほうを補助吹出通路２４に隣接させて、空気が流れる経路を小さくすることができ、これによって空気が流れる抵抗を小さくし、吹出をスムーズにし、空気流のエネルギー損失を小さくすることができる。
【００４２】
本出願のさらなる実施例では、図７〜図１０を参照すると、エンドカバー２に導風部材５がさらに設けられ、導風部材５は、エンドカバー２の外面に設けられ、且つ補助吹出口２３の外周回りに設置される。これにより、空気流のガイド及び導風の機能をさらに発揮することができる。選択可能に、導風部材５の外輪郭形状を、第１の補助吹出グリル３及び第２の補助吹出グリル４の外輪郭形状に一致させることにより、エンドカバー２の外観がさらに美しさなる。例えば、第１の補助吹出グリル３の外輪郭、第１の補助吹出グリル３の外輪郭及び導風部材５の外輪郭を、いずれも「Ｓ」字状とすることによって、導風部材５が飾りの機能も有し、全体の外観をさらに美しくする。
【００４３】
選択可能に、導風部材５は、エンドカバー２に着脱可能に接続され、例えば、導風部材５及びエンドカバー２の一方に係合スナップが設けられ、且つ他方に係合スナップに結合する係合溝が設けられる。
【００４４】
図７、図８及び図１０の例を参照すると、エンドカバー２に制限溝２７が形成され、制限溝２７の側壁に係合溝２７１が形成され、導風部材５に係合スナップ５１が形成される。これにより、係合スナップ５１と係合溝２７１との結合によって、導風部材５の着脱が容易になる。
【００４５】
さらに、図７、図８及び図１０を参照すると、導風部材５に制限溝２７に結合する制限部５２が形成され、制限部５２が導風部材５の延びる方向に延びており、係合スナップ５１と間隔を置いて設けられる。これにより、導風部材５を取り付ける場合、導風部材５における制限部５２とエンドカバー２における制限溝２７との結合によって事前位置決めを行い、導風部材５の事前位置決めが行われた後、導風部材５における係合スナップ５１を制限溝２７の側壁における係合溝２７１内に嵌合させ、この場合、係合スナップ５１と係合溝２７１との結合、及び制限溝２７と制限部５２との結合によって、導風部材５の接続の信頼性をさらに向上させることができる。
【００４６】
本出願の第２の側面の実施例に係る空気調和機の室内機１００は、本出願の上記の第１の側面の実施例に係るケーシングアセンブリを含み、空気調和機の室内機１００は、熱交換器及びファンなどをさらに含み、熱交換器及びファンは、いずれもケーシングアセンブリによって画定された空間内に設けられる。
【００４７】
本出願の実施例に係る空気調和機の室内機１００は、上記のケーシングアセンブリを設置することによって、全体の美しさを向上させることができるとともに、ケーシングアセンブリの清掃及びメンテナンスを容易にすることができる。
【００４８】
本明細書の説明において、「一実施例」、「いくつかの実施例」、「例示的な実施例」、「例」、「具体的な例」、或いは「いくつかの例」などの参照した説明とは、当該実施例或いは例に結合して説明された具体的な特徴、構成、材料或いは特徴が、本発明の少なくとも一つの実施例或いは例に含まれることである。本明細書において、上記用語に対する例示的な表現は、必ずしも同じ実施例或いは例を示すものではない。また、説明された具体的な特徴、構成、材料或いは特徴は、いずれか一つ或いは複数の実施例又は例において適切に結合することができる。なお、お互いに矛盾しない場合、当業者は，本明細書で説明された異なる実施例或いは例、及び異なる実施例或いは例の特徴を結合及び組み合わせることができる。
【００４９】
本発明の実施例を示して説明したが、当業者は、本発明の原理及び主旨から逸脱しなく、これらの実施例に対して各種の変更、修正、置き換え及び変形を行うことができる。本発明の範囲は、特許請求の範囲及びその等価物により限定される。
【符号の説明】
【００５０】
１００    空気調和機の室内機
１        フェースフレーム
１１      メイン吹出口
１２      導風板
１２１    通風孔
１３      吸気グリル 
２        エンドカバー
２１      本体部
２２      延伸部
２２１    補強構造
２３      補助吹出口
２４      補助吹出通路
２５        係合スナップ
２６        取り付け溝
２６１      係合溝
２７        制限溝
２７１      係合溝
３          第１の補助吹出グリル
３１        第１の仕切リブ
３２        第１の吹出貫通孔
４          第２の補助吹出グリル
４１        第２の仕切リブ
４２        第２の吹出貫通孔
４３        係合スナップ
５          導風部材
５１        係合スナップ
５２        制限部
６          フロントフェースプレート。
【図１】
0006838196.tif 000002
【図２】
0006838196.tif 000003
【図３】
0006838196.tif 000004
【図４】
0006838196.tif 000005
【図５】
0006838196.tif 000006
【図６】
0006838196.tif 000007
【図７】
0006838196.tif 000008
【図８】
0006838196.tif 000009
【図９】
0006838196.tif 000010
【図１０】
0006838196.tif 000011